(57)【要約】【課題】粉砕した混合粉体中の金属被膜付き樹脂粉体の吸着率を低下させ、この金属被膜付き樹脂粉体を金属被膜粉体又は樹脂粉体から確実に分離することで、純度の高い金属原料及び樹脂原料に再生する。【解決手段】金属被膜を付着させた金属被膜樹脂材ｐを粉砕して、金属被膜粉体ａ、樹脂粉体ｃ及び金属被膜付き樹脂粉体ｂとの混合粉体ｍを生成し、混合粉体ｍを搬送させながら、磁石８の磁力により金属被膜粉体ａと金属被膜付き樹脂粉体ｂとを吸着分離し、回収する共に、磁石８の磁力を調整して金属被膜付き樹脂粉体ｂの吸着率を可変させる。【選択図】    図２
2004351858.tif 000002
【特許請求の範囲】
【請求項１】
金属被膜を付着させた金属被膜樹脂材（ｐ）を粉砕して、金属被膜粉体（ａ）、樹脂粉体（ｃ）及び金属被膜付き樹脂粉体（ｂ）との混合粉体（ｍ）を生成し、
前記混合粉体（ｍ）を搬送させながら、磁石（８）の磁力により金属被膜粉体（ａ）と金属被膜付き樹脂粉体（ｂ）とを吸着分離し、回収する共に、
前記磁石（８）の磁力を調整して金属被膜付き樹脂粉体（ｂ）の吸着率を可変させる、ことを特徴とする金属被膜樹脂材の金属と樹脂材の分離回収方法。
【請求項２】
前記混合粉体（ｍ）から前記金属被膜粉体（ａ）と金属被膜付き樹脂粉体（ｂ）を分離するときに、該混合粉体（ｍ）と磁石（８）との間隔（ｄ）を広くして、金属被膜付き樹脂粉体（ｂ）の吸着率を低下させることにより、金属含有率の高い金属被膜粉体（ａ）のみを分離回収する、ことを特徴とする請求項１の金属被膜樹脂材の金属と樹脂材の分離回収方法。
【請求項３】
前記混合粉体（ｍ）から前記樹脂粉体（ｃ）と金属被膜付き樹脂粉体（ｂ）とを分離するときに、該混合粉体（ｍ）と磁石（８）との間隔（ｄ）を狭くして、金属被膜付き樹脂粉体（ｂ）の吸着率を高めることにより、樹脂含有率の比較的高い樹脂粉体（ｃ）でも分離回収する、ことを特徴とする請求項１の金属被膜樹脂材の金属と樹脂材の分離回収方法。
【請求項４】
前記混合粉体（ｍ）から前記金属被膜粉体（ａ）と金属被膜付き樹脂粉体（ｂ）を分離するときに、前記磁石（８）に対して前記混合粉体（ｍ）の搬送速度を速めて、金属被膜付き樹脂粉体（ｂ）の吸着率を低下させることにより、金属含有率の高い金属被膜粉体（ａ）を分離回収する、ことを特徴とする請求項１の金属被膜樹脂材の金属と樹脂材の分離回収方法。
【請求項５】
前記混合粉体（ｍ）から前記樹脂粉体（ｃ）と金属被膜付き樹脂粉体（ｂ）とを分離するときに、前記磁石（８）に対して前記混合粉体（ｍ）の搬送速度を遅くして、金属被膜付き樹脂粉体（ｂ）の吸着率を高めることにより、樹脂含有率の比較的高い樹脂粉体（ｃ）でも分離回収する、ことを特徴とする請求項１の金属被膜樹脂材の金属と樹脂材の分離回収方法。
【請求項６】
粉砕した金属被膜粉体（ａ）、樹脂粉体（ｃ）及び金属被膜付き樹脂粉体（ｂ）との混合粉体（ｍ）を搬送するために、ロ−ラ（１２）間にベルト（１３）を掛け渡した搬送ベルトコンベア（１１）と、
前記搬送ベルトコンベア（１１）の上方に配置した、ローラ（１２）間にベルト（１３）を掛け渡した吸着ベルトコンベア（１４）と、
前記吸着ベルトコンベア（１４）の下側のベルト（１３）の内面に設けた、前記金属被膜粉体（ａ）及び金属被膜付き樹脂粉体（ｂ）を吸着するための磁石（８）と、を備え、
前記搬送ベルトコンベア（１１）と前記吸着ベルトコンベア（１４）との間隔（ｄ）を調整し得るように構成した、ことを特徴とする金属被膜樹脂材の金属と樹脂材の分離回収装置。
【請求項７】
前記吸着ベルトコンベア（１４）に対して、前記搬送ベルトコンベア（１１）を昇降させるように構成した、ことを特徴とする請求項６の金属被膜樹脂材の金属と樹脂材の分離回収装置。
【請求項８】
吸着した金属被膜粉体（ａ）及び金属被膜付き樹脂粉体（ｂ）を前記吸着ベルトコンベア（１４）の上側に搬送するために、該吸着ベルトコンベア（１４）の一側のロ−ラ（１２）に磁石（１７）を更に備えた、ことを特徴とする請求項６の金属被膜樹脂材の金属と樹脂材の分離回収装置。
【請求項９】
吸着した金属被膜粉体（ａ）及び金属被膜付き樹脂粉体（ｂ）を回収するために、前記吸着ベルトコンベア（１４）の搬送方向の全長が、前記搬送ベルトコンベア（１１）の搬送方向の全長より長いものを配置した、ことを特徴とする請求項６の金属被膜樹脂材の金属と樹脂材の分離回収装置。
【請求項１０】
吸着した金属被膜粉体（ａ）及び金属被膜付き樹脂粉体（ｂ）を回収するために、前記吸着ベルトコンベア（１４）と前記搬送ベルトコンベア（１１）を搬送方向にずらして配置した、ことを特徴とする請求項６の金属被膜樹脂材の金属と樹脂材の分離回収装置。
【発明の詳細な説明】
【０００１】
【発明の属する技術の分野】
本発明は、樹脂メッキ部品等の金属と合成樹脂材との混合物のリサイクル技術に係り、特に樹脂メッキ部品から金属原料と樹脂原料を分離回収して、それぞれ金属原材又は樹脂原材として再利用することができる金属被膜樹脂材の金属と樹脂材の分離回収方法及びその金属と樹脂分離回収装置に関するものである。
【０００２】
【従来の技術】
自動車のドアノブ、ラジエータ・グリル等の従来は金属製の各種部品の代替素材として、軽量化等を目的とした、金属によるメッキ処理又は蒸着処理された樹脂メッキ製品が提案されている。その一方で、環境問題への対応としてこれらの金属で処理された樹脂メッキ部品を、金属原料と樹脂原材とに分離して再利用するリサイクル技術も実施されている。
【０００３】
【特許文献１】
特許文献１の特開２００２−２８９２７号公報「樹脂粒状物の回収方法および樹脂粒状物」のように、金属で処理された樹脂素材について、固定刃と回転刃とからなる粉砕装置で粉砕し、磁力選別装置で粉砕粒状物を金属部分及び樹脂部分に分離して、樹脂粒状物を回収する方法が提案されている。この回収する方法に使用する磁力選別装置５１は、図５に示すように、吊下型の強力磁石５２を備えたものである。粉砕装置により粉砕された金属被膜、樹脂粒状物及び金属被膜付き樹脂粒状物との混合粒状物は、クッションタンク５３へ搬送し、このクッションタンク５３の下端部に取り付けたロータリーバルブ５４を通して、第一コンベア５５へ混合粒状物を落下させる。更に一段下方位置に第二コンベア５６を配置している。これらの第一と第二コンベア５５，５６間において磁力選別装置５１の強力磁石５２を移動させるように配置したものである。
【０００４】
磁力選別装置５１の強力磁石５２を、第一コンベア５５上を搬送中の混合粉体から金属被膜のみを吸着して、金属原料回収槽５７まで搬送する。一方金属被膜が分離され、大部分が樹脂粒状物になった混合粒状物は、第二コンベア５６で樹脂原料回収槽５８内に落下回収させる。
【０００５】
【特許文献２】
更に、特許文献２の特開２００２−３３６７３２号公報「磁力選別装置」のように、エンドレスベルトを上下方向に所定間隔あけて配置し、永久磁石により、粉砕した混合粒状物から磁性体（金属被膜）を吸着する技術が提案されている。この磁力選別装置は、一旦吸着した磁性体（金属被膜）のエンドレスベルトへの再吸着を阻止することに技術的な特徴を有するものである。
【０００６】
【発明が解決しようとする課題】
この特許文献１の磁力選別装置５１は、吊下型の強力磁石５２を備えたものであるために、混合粒状物が単純に磁性体（金属被膜）と非磁性体（樹脂粒状物）との混合物であれば容易に磁性体（金属原料）と非磁性体（樹脂原材）とに分離して回収できる。しかし、樹脂メッキ部品等を粉砕したような金属と合成樹脂材との混合物については、金属被膜付きの樹脂粒状物も金属原料として回収するために、金属含有率の低い金属原料になりやすいという問題を有していた。このように、樹脂分を多く含有する金属原料は再利用するときに再生しづらいという問題を有していた。同様に、金属を含有する樹脂原料になりやすいという問題を有していた。
【０００７】
このように樹脂分を多く含有する金属原料、又は金属分を多く含有する樹脂原料は、更に樹脂と金属とを分離する工程が必要になるために、その処理時間が長くかかるという問題を有していた。
【０００８】
また、特許文献２の磁力選別装置でも、金属被膜と樹脂粒状物の他に金属被膜付きの樹脂粒状物が混合した混合物については、純度の高い金属原料又は樹脂原材とに分離することができないという問題を有していた。
【０００９】
本発明は、かかる問題点を解決するために創案されたものである。すなわち、本発明の目的は、粉砕した混合粉体中の金属被膜付き樹脂粉体の吸着率を低下させ、この金属被膜付き樹脂粉体を金属被膜粉体又は樹脂粉体から確実に分離することで、純度の高い金属原料及び樹脂原料に再生することができる金属被膜樹脂材の金属回収方法及びその金属被膜回収装置を提供することにある。
【００１０】
【課題を解決するための手段】
本発明の分離回収方法によれば、金属被膜を付着させた金属被膜樹脂材（ｐ）を粉砕して、金属被膜粉体（ａ）、樹脂粉体（ｃ）及び金属被膜付き樹脂粉体（ｂ）との混合粉体（ｍ）を生成し、前記混合粉体（ｍ）を搬送させながら、磁石（８）の磁力により金属被膜粉体（ａ）と金属被膜付き樹脂粉体（ｂ）とを吸着分離し、回収する共に、前記磁石（８）の磁力を調整して金属被膜付き樹脂粉体（ｂ）の吸着率を可変させる、ことを特徴とする金属被膜樹脂材の金属と樹脂材の分離回収方法が提供される。
【００１１】
上記発明の方法では、混合粉体（ｍ）と磁石（８）との間隔（ｄ）を広くして、混合粉体（ｍ）中の金属被膜付き樹脂粉体（ｂ）の磁石（８）への吸着率を低下させることにより、この金属被膜付き樹脂粉体（ｂ）を金属被膜粉体（ａ）又は樹脂粉体（ｃ）から確実に分離することができる。そこで、金属被膜付き樹脂粉体（ｂ）の含有率が低い金属原料に再生することができる。
【００１２】
前記混合粉体（ｍ）から前記金属被膜粉体（ａ）と金属被膜付き樹脂粉体（ｂ）を分離するときに、該混合粉体（ｍ）と磁石（８）との間隔（ｄ）を広くして、金属被膜付き樹脂粉体（ｂ）の吸着率を低下させることにより、金属含有率の高い金属被膜粉体（ａ）のみを分離回収する。これにより、この金属被膜付き樹脂粉体（ｂ）を樹脂粉体（ｃ）から確実に分離することができる。そこで、金属被膜付き樹脂粉体（ｂ）の含有率が低い樹脂原料に再生することができる。
【００１３】
前記混合粉体（ｍ）から前記樹脂粉体（ｃ）と金属被膜付き樹脂粉体（ｂ）とを分離するときに、該混合粉体（ｍ）と磁石（８）との間隔（ｄ）を狭くして、金属被膜付き樹脂粉体（ｂ）の吸着率を高めることにより、金属含有率が低い樹脂粉体（ｃ）を分離回収する。
【００１４】
前記混合粉体（ｍ）から前記金属被膜粉体（ａ）と金属被膜付き樹脂粉体（ｂ）を分離するときに、前記磁石（８）に対して前記混合粉体（ｍ）の搬送速度を速めて、金属被膜付き樹脂粉体（ｂ）の吸着率を低下させることにより、金属含有率の高い金属被膜粉体（ａ）のみを分離回収する。
【００１５】
前記混合粉体（ｍ）から前記樹脂粉体（ｃ）と金属被膜付き樹脂粉体（ｂ）とを分離するときに、前記磁石（８）に対して前記混合粉体（ｍ）の搬送速度を遅くして、金属被膜付き樹脂粉体（ｂ）の吸着率を高めることにより、金属含有率が低い樹脂粉体（ｃ）を分離回収する。
【００１６】
また、前記磁石（８）に対して前記混合粉体（ｍ）の搬送速度を速めて、金属被膜付き樹脂粉体（ｂ）の吸着率を低下させることにより、樹脂の混ざった金属被膜が磁石（８）に吸着しないようにして、この金属被膜付き樹脂粉体（ｂ）を金属被膜粉体（ａ）から分離する。
【００１７】
前記磁石（８）に対して前記混合粉体（ｍ）の搬送速度を遅くして、金属被膜付き樹脂粉体（ｂ）の吸着率を高めることにより、樹脂の混ざった金属被膜を磁石（８）に吸着させて、この金属被膜付き樹脂粉体（ｂ）を樹脂粉体（ｃ）から分離する。
【００１８】
逆に、単純に金属材料の回収率を高めたいときは、混合粉体（ｍ）と磁石（８）との間隔（ｄ）を狭くすることで、金属分を多く回収することができる。この回収した金属被膜粉体（ａ）と金属被膜付き樹脂粉体（ｂ）との混合物は、再度分離回収処理することで、金属被膜付き樹脂粉体（ｂ）の含有率が低い金属原料又は樹脂原料に再生することができる。同様に、前記磁石（８）に対して前記混合粉体（ｍ）の搬送速度を遅くすることでも、金属分を多く回収することができる。
【００１９】
本発明の分離回収装置によれば、粉砕した金属被膜粉体（ａ）、樹脂粉体（ｃ）及び金属被膜付き樹脂粉体（ｂ）との混合粉体（ｍ）を搬送するために、ロ−ラ（１２）間にベルト（１３）を掛け渡した搬送ベルトコンベア（１１）と、前記搬送ベルトコンベア（１１）の上方に配置した、ローラ（１２）間にベルト（１３）を掛け渡した吸着ベルトコンベア（１４）と、前記吸着ベルトコンベア（１４）の下側のベルト（１３）の内面に設けた、前記金属被膜粉体（ａ）及び金属被膜付き樹脂粉体（ｂ）を吸着するための磁石（８）と、を備え、前記搬送ベルトコンベア（１１）と前記吸着ベルトコンベア（１４）との間隔（ｄ）を調整し得るように構成した、ことを特徴とする金属被膜樹脂材の金属と樹脂材の分離回収装置が提供される。
【００２０】
上記発明の装置では、搬送ベルトコンベア（１１）上の混合粉体（ｍ）から金属被膜粉体（ａ）及び金属被膜付き樹脂粉体（ｂ）を吸着ベルトコンベア（１４）の磁石（８）で吸着する。このとき、前記搬送ベルトコンベア（１１）と前記吸着ベルトコンベア（１４）との間隔（ｄ）を調整し得るように構成したので、その吸着率を低下させることにより、この金属被膜付き樹脂粉体（ｂ）を金属被膜粉体（ａ）又は樹脂粉体（ｃ）から確実に分離することができる。
【００２１】
前記吸着ベルトコンベア（１４）に対して、前記搬送ベルトコンベア（１１）を昇降させるように構成した。これにより、金属被膜付き樹脂粉体（ｂ）に対する磁石（８）の磁力を調整することができ、その吸着率を可変させることが可能になる。
【００２２】
吸着した金属被膜粉体（ａ）及び金属被膜付き樹脂粉体（ｂ）を前記吸着ベルトコンベア（１４）の上側に搬送するために、該吸着ベルトコンベア（１４）の一側のロ−ラ（１２）に磁石（１７）を更に備えた。これにより、金属被膜付き樹脂粉体（ｂ）及び金属被膜付き樹脂粉体（ｂ）を、吸着ベルトコンベア（１４）の上面へ搬送することができ、所望の位置において回収することができる。
【００２３】
吸着した金属被膜粉体（ａ）及び金属被膜付き樹脂粉体（ｂ）を回収するために、前記吸着ベルトコンベア（１４）の搬送方向の全長が、前記搬送ベルトコンベア（１１）の搬送方向の全長より長いものを配置することができる。これにより、吸着ベルトコンベア（１４）の下面に吸着している金属被膜付き樹脂粉体（ｂ）及び金属被膜付き樹脂粉体（ｂ）を、この吸着ベルトコンベア（１４）の一端において回収することができる。
【００２４】
吸着した金属被膜粉体（ａ）及び金属被膜付き樹脂粉体（ｂ）を回収するために、前記吸着ベルトコンベア（１４）と前記搬送ベルトコンベア（１１）を搬送方向にずらして配置することが好ましい。
【００２５】
【発明の実施の形態】
以下、本発明の好ましい実施の形態を図面を参照して説明する。
図１は本発明の金属被膜樹脂材の金属と樹脂材の分離回収する装置の概略説明図である。図２は磁気選別装置を示す概略説明図である。図３は金属被膜樹脂材を粉砕した状態を示すものであり、（ａ）は金属被膜粉体と樹脂粉体とが結合している状態、（ｂ）は金属被膜粉体と樹脂粉体とが分離した状態、（ｃ）は金属被膜付き樹脂粉体、及び（ｄ）はわずかに金属被膜が付着した金属被膜付き樹脂粉体である。
本発明の金属と樹脂材の分離回収方法は、図１に示すような、金属メッキ等の金属被膜樹脂材ｐを一次粉砕機１で粗粉砕し、次に、この粗粉砕した金属被膜樹脂材ｐをコンベア２で計量ホッパー３まで搬送し、所定量を軽量した後、二次粉砕機４へ搬送して微粉砕する。この二次粉砕機４では、金属被膜樹脂材ｐから金属被膜粉体ａを剥離しやすいように、粒径は０．６ｍｍから２ｍｍ程度が望ましい。本発明では金属被膜樹脂材ｐの粒径を均一にするために、粉砕した金属被膜樹脂材ｐをメッシュスクリーン５に通し、サイクロン６から磁気選別装置７へ供給している。
【００２６】
この金属被膜樹脂材ｐは、粉砕されて金属被膜粉体ａ、樹脂粉体ｃ及び金属被膜付き樹脂粉体ｂとが混合された混合粉体ｍとなる。この混合粉体ｍの粒径は０．６ｍｍより小さく粉砕すると、静電気の影響で次の工程における搬送ベルトコンベア１１と吸着ベルトコンベア１４のベルトや機構部分に付着して、その処理に手間がかかることがあるからである。
【００２７】
この金属被膜樹脂材ｐは、上述したドアノブ、フロントグリル等の自動車部部品に限定されず、家電・ＯＡ機器の廃材として、コピー、ファクシミリ、プリンタ等のトナーカートリッジやドラム類、ノートパソコンの部品等、その他、コンパクトディスク、光ディスク等の金属と樹脂が混合した部品についても処理することができる。
【００２８】
次に、磁気選別装置７において、金属被膜粉体ａ、樹脂粉体ｃ及び金属被膜付き樹脂粉体ｂとの混合粉体ｍから磁石８の磁力で金属被膜粉体ａと、樹脂粉体ｃ及び金属被膜付き樹脂粉体ｂとに分離する。この磁気選別装置７には、金属被膜粉体ａ、樹脂粉体ｃ及び金属被膜付き樹脂粉体ｂとの混合粉体ｍを捕集するサイクロン６から振動フィーダー１０を介して供給するようになっている。この振動フィーダー１０の先端から、搬送ベルトコンベア１１上に混合粉体ｍを供給する。振動フィーダー１０は、粉砕した混合粉体ｍを搬送ベルトコンベア１１上に均一に分散させて、金属被膜粉体ａが樹脂粉体ｃ及び金属被膜付き樹脂粉体ｂの下側に埋もれた状態になり、吸着されずに搬送されることを回避するものである。搬送ベルトコンベア１１はローラ１２間にベルト１３を掛け渡したものである。なお、この磁石８について、本発明では永久磁石について説明しているが、この永久磁石に限定されずに、電磁石に変更できることは勿論である。
【００２９】
この搬送ベルトコンベア１１の上方に、金属被膜粉体ａ及び金属被膜付き樹脂粉体ｂと吸着するために、ローラ１２間に掛け渡した下側のベルト１３の内面に板状の磁石８を設けた吸着ベルトコンベア１４を配置した。この吸着ベルトコンベア１４と搬送ベルトコンベア１１との間隔、即ちギャップ幅ｄを長短調整し得るようになっている。これにより、金属被膜付き樹脂粉体ｂに対する磁石８の磁力を調整することができ、その吸着率を可変させることが可能になる。例えば、図２に示すように、吸着ベルトコンベア１４に対して搬送ベルトコンベア１１を昇降させるように構成した。勿論、吸着ベルトコンベア１４側を昇降させるように構成することも可能である。
【００３０】
この磁気選別装置７は、振動フィーダー１０から搬送ベルトコンベア１１上を搬送される混合粉体ｍ中の金属被膜粉体ａを磁石８に吸着させて樹脂粉体ｃと分離させる。搬送ベルトコンベア１１上に残った樹脂粉体ｃはそのまま樹脂原料回収槽１５へ搬送される。一方、磁石８に吸着された金属被膜粉体ａは吸着ベルトコンベア１４のベルト１３上搬送されて金属原料回収槽１６へ搬送される。そこで、吸着ベルトコンベア１４の一方のローラ１２（図２では左側）は磁石１７を用いている。これにより、金属被膜付き樹脂粉体ｂ及び金属被膜付き樹脂粉体ｂを、吸着ベルトコンベア１４の上面へ搬送することができ、所望の位置において回収することができる。
【００３１】
本発明の磁気選別装置７では、搬送ベルトコンベア１１と吸着ベルトコンベア１４との間隔ｄを広くして、混合粉体ｍ中の金属被膜付き樹脂粉体ｂの磁石８への吸着率を低下させるようになっている。これにより、図３に示すように、金属被膜付き樹脂粉体ｂにおける金属被膜粉体の付着含量に応じて、樹脂粉体ｃから確実に分離することができる。そこで、金属被膜付き樹脂粉体の含有率が低い金属原料又は樹脂原料に再生することができる。
【００３２】
逆に、搬送ベルトコンベア１１と吸着ベルトコンベア１４との間隔ｄを狭くして、混合粉体ｍ中の金属被膜付き樹脂粉体ｂの磁石８への吸着率を高める。これにより、金属被膜付き樹脂粉体ｂを吸着して樹脂粉体ｃから確実に分離することができる。そこで、金属被膜付き樹脂粉体ｂの含有率が低い樹脂原料に再生することができる。
【００３３】
本発明の磁気選別装置７により、金属被膜樹脂材ｐから樹脂分を回収したときの試験結果を表１と表２に示す。表１は、金属膜が銅、ニッケルとクロムからなる部品についての平均膜厚と樹脂分の回収量を示すものである。表２は、金属膜がニッケルとクロムからなる部品についての平均膜厚と樹脂分の回収量を示すものである。
【００３４】
【表１】
2004351858.tif 000003
【００３５】
【表２】
2004351858.tif 000004
【００３６】
本発明の磁気選別装置７は、吸着ベルトコンベア１４の搬送方向の全長が、その搬送ベルトコンベア１１の搬送方向の全長より長いものを配置することにより、吸着ベルトコンベア１４の下面に吸着している金属被膜粉体ａ及び金属被膜付き樹脂粉体ｂを、この吸着ベルトコンベア１４の一端において回収することができる。このときは、吸着ベルトコンベア１４にスクレイパー（図示していない）を設けて掻き落とすようにする。
【００３７】
また、吸着した金属被膜粉体ａ及び金属被膜付き樹脂粉体ｂを回収するために、吸着ベルトコンベア１４と搬送ベルトコンベア１１を搬送方向にずらして配置することにより、この吸着ベルトコンベア１４の一端において回収することができる。
【００３８】
なお、単純に金属材料の回収率を高めたいときは、搬送ベルトコンベア１１と吸着ベルトコンベア１４との間隔ｄを短くする。この回収した金属被膜粉体ａと金属被膜付き樹脂粉体ｂとの混合物は、再度分離回収処理することで、金属被膜付き樹脂粉体の含有率が低い金属原料又は樹脂原料に再生することができる。
【００３９】
図４は本発明の金属被膜樹脂材の金属と樹脂材の分離回収する装置の他の実施の形態を示す概略説明図である。
本発明の金属被膜樹脂材の金属と樹脂材の分離回収する装置では、上述した磁気選別装置７を単体のみで使用する必要はなく、他の構成の磁気選別装置２１と組み合わせて使用することが好ましい。図示するように、先ず粉砕した混合粉体ｍを、例えばローラ部分に磁石２１を構成した磁気選別装置２２で、金属被膜粉体ａ及び金属被膜付き樹脂粉体ｂと、樹脂粉体ｃとに単純に分離して樹脂粉体ｃのみを回収する。次に、金属被膜粉体ａと金属被膜付き樹脂粉体ｂとの混合粉体ｍについては、更に本発明の磁気選別装置７を用いて金属被膜粉体ａ及び金属被膜付き樹脂粉体ｂと、樹脂粉体ｃとに精度の高い分離回収を行う。このときは、混合粉体ｍの金属や樹脂の種類、また粒径の大小に応じて搬送ベルトコンベア１１と吸着ベルトコンベア１４との間隔ｄを調整して、混合粉体ｍ中の金属被膜付き樹脂粉体ｂの磁石８への吸着率を低下させる。
【００４０】
なお、本発明は上述した発明の実施の形態に限定されず、粉砕した混合粉体ｍ中の金属被膜付き樹脂粉体ｂの吸着率を低下させ、この金属被膜付き樹脂粉体ｂを金属被膜粉体ａ又は樹脂粉体ｃから確実に分離することで、純度の高い金属原料及び樹脂原料に再生する方法又は処理装置であれば、図示した工程、処理設備又は処理装置のような構成に限定されず、本発明の要旨を逸脱しない範囲で種々変更できることは勿論である。
【００４１】
【発明の効果】
上述したように、本発明の分離回収方法は、混合粉体中の金属被膜付き樹脂粉体の磁石への吸着率を低下させることにより、この金属被膜付き樹脂粉体を金属被膜粉体又は樹脂粉体から確実に分離することにより、金属被膜付き樹脂粉体の含有率が低い金属原料又は樹脂原料に再生することができる。
【００４２】
本発明の分離回収装置は、搬送ベルトコンベアと吸着ベルトコンベアとの間隔を調整し得るように構成して、金属被膜付き樹脂粉体の吸着率を低下させ、搬送ベルトコンベア上の混合粉体から金属被膜粉体のみを吸着することにより、この金属被膜付き樹脂粉体を金属被膜粉体又は樹脂粉体から確実に分離することができる、等の効果がある。
【図面の簡単な説明】
【図１】本発明の金属被膜樹脂材の金属と樹脂材の分離回収する装置の概略説明図である。
【図２】磁気選別装置を示す概略説明図である。
【図３】金属被膜樹脂材を粉砕した状態を示すものであり、（ａ）は金属被膜粉体と樹脂粉体とが結合している状態、（ｂ）は金属被膜粉体と樹脂粉体とが分離した状態、（ｃ）は金属被膜付き樹脂粉体、及び（ｄ）はわずかに金属被膜が付着した金属被膜付き樹脂粉体である。
【図４】本発明の金属被膜樹脂材の金属と樹脂材の分離回収する装置の他の実施の形態を示す概略説明図である。
【図５】従来の吊下型の強力磁石を備えた磁力選別装置を示す説明図である。
【符号の説明】
７  磁気選別装置
８  磁石
１１  搬送ベルトコンベア
１２  ロ−ラ
１３  ベルト
１４  吸着ベルトコンベア
１７  磁石（ロ−ラ）
ｄ  搬送ベルトコンベアと吸着ベルトコンベアとの間隔
ａ  金属被膜粉体
ｂ  金属被膜付き樹脂粉体
ｃ  樹脂粉体
ｍ  混合粉体
【図１】
2004351858.tif 000005
【図２】
2004351858.tif 000006
【図３】
2004351858.tif 000007
【図４】
2004351858.tif 000008
【図５】
2004351858.tif 000009